(57)【要約】【課題】ブラケットが歯から脱落した場合に、再度、元の位置決めされた場所にブラケットを取り付けること。【解決手段】歯１６の矯正を行うためのブラケット１２を位置決めして取り付けるブラケット取り付け治具４０であって、複数種の硬度の異なる部材から構成されており、歯１６に接する最も内側の部材４２を、その外側の部材４４よりも低硬度の部材とすること。【選択図】  図４
2006043121.tif 000002
【特許請求の範囲】
【請求項１】
歯の矯正を行うためのブラケットを位置決めして取り付けるブラケット取り付け治具であって、複数種の硬度の異なる部材から構成されており、歯に接する最も内側の部材を、その外側の部材よりも低硬度の部材とすることを特徴とするブラケット取り付け治具。
【請求項２】
前記複数種の硬度の異なる部材の内、少なくとも前記最も内側の部材の外側の部材を透光性の部材とすることを特徴とする請求項１記載のブラケット取り付け治具。
【請求項３】
歯の矯正を行うためのブラケットを位置決めして取り付けるブラケット取り付け治具と、上記ブラケット備をえるブラケット付き取り付け治具であって、上記ブラケット取り付け治具は、複数種の硬度の異なる部材から構成されており、歯に接する最も内側の部材を、その外側の部材よりも低硬度の部材とし、上記ブラケットは、上記最も内側の部材に着脱自在に取り付けられていることを特徴とするブラケット付き取り付け治具。
【請求項４】
前記複数種の硬度の異なる部材の内、少なくとも前記最も内側の部材の外側の部材を透光性の部材とすることを特徴とする請求項３記載のブラケット付き取り付け治具。
【請求項５】
前記最も内側の部材は、前記歯の切縁を跨ぎ前記ブラケットのフックにかけて上記切縁と上記フックを覆う形態を有することを特徴とする請求項３または４記載のブラケット付き取り付け治具。
【請求項６】
前記最も内側の部材の外側の部材は、前記フックを覆う部分を除いて、前記最も内側の部材を覆う形態を有することを特徴とする請求項５記載のブラケット付き取り付け治具。
【発明の詳細な説明】
【技術分野】
【０００１】
本発明は、歯の矯正を行うためのブラケットを位置決めして取り付けるブラケット取り付け治具およびブラケット付き取り付け治具に関する。
【背景技術】
【０００２】
歯科矯正装置のブラケットを歯の正確な位置に取り付けるためには、硬度の高いレジン製のコアを用いて当該ブラケットを歯に位置決めして接着する方法が採用されている。しかしながら、一般的に、硬度の高いレジン製のコアを用いてブラケットを歯に取り付ける場合、歯にブラケットを取り付けた後、コアを破壊しなければブラケットのみを歯に残すことができない。したがって、その後、ブラケットが歯から脱落した場合には、ブラケットを再度正確な位置に取り付けることが困難となるという問題がある。
【０００３】
この問題を解決するものとして、位置決めしたブラケットが歯から脱落した場合でも、着脱可能なブラケット位置決め用キャップを用いて、ブラケットを再び正確な位置に取り付けることを可能としたブラケット取り付け治具が特許文献１に示されている。
【０００４】
【特許文献１】特開平１１−２２１２３５号公報（図１〜図３）
【発明の開示】
【発明が解決しようとする課題】
【０００５】
ところで、特許文献１記載のブラケット取り付け治具８０は、図７に示すように、コア８１およびブラケット位置決め用キャップ（以下、キャップという。）８２から主に構成されている。当該ブラケット取り付け治具８０において、コア８１は、唇側面８３から歯８４の切縁８５を跨ぎ歯の舌側面８６にわずかにかかるように形成され、キャップ８２は延設部８７を有しており、当該延設部８７と反対方向の端部でブラケット８８に嵌合される。当該コア８１およびキャップ８２が歯８４に取り付けられた状態では、コア８１とキャップ８２の延設部８７との間には隙間が形成される。その隙間をレジン８９で埋めることにより、キャップ８２とコア８１は一体化される。このようにして、ブラケット取り付け治具８０は完成される。
【０００６】
しかしながら、このようなブラケット取り付け治具８０では、コア８１、キャップ８２およびレジン８９が、共に硬度の高い材料で作られているため、ブラケット取り付け治具８０が歯８４を広範囲に亘って覆うように形成すると、当該ブラケット取り付け治具８０が歯８４から着脱不可能となってしまう。着脱できるようにするためには、歯８４とブラケット取り付け治具８０との接触面積は必然的に小さくなる。特に、延出部８７と歯８４との間には空間が形成されていて歯８４と接触していないため、ブラケット取り付け治具８０と歯８４との接触面積がさらに小さくなる。そのため、ブラケット８８を歯８４に再装着する際の位置決め精度が低下する。
【０００７】
本発明は上記の事情にもとづきなされたもので、その目的とするところは、位置決めしたブラケットが歯から脱落した場合でも、再度、高い精度でブラケットを位置決めして取り付けることが可能であるブラケット取り付け治具およびブラケット付き取り付け治具を提供しようとするものである。
【課題を解決するための手段】
【０００８】
上記課題を解決するために、本発明は、歯の矯正を行うためのブラケットを位置決めして取り付けるブラケット取り付け治具であって、複数種の硬度の異なる部材から構成されており、歯に接する最も内側の部材を、その外側の部材よりも低硬度の部材としたものである。
【０００９】
このように構成した場合には、内側の部材を、低硬度の部材としたため広範囲に亘って当該ブラケット取り付け治具を歯と接触させることが可能となり、ブラケット取り付け治具を歯に再装着する際の位置決め精度を向上させることができる。また、低硬度の部材が歯と接することになるので、ブラケット取り付け治具が歯と広範囲に亘って接触した場合でも、ブラケット取り付け治具は歯に対して着脱可能となり、ブラケットが歯から脱落した場合でも、再度、当該ブラケット取り付け治具を用いてブラケットを歯に取り付けることが可能となる。また、低硬度の部材によりブラケット取り付け治具が歯と広範囲に亘って接触できると共に、その外側は、それより高硬度の部材で覆われているため、ブラケットの位置決め精度がさらに向上する。
【００１０】
また、他の発明は、上述の発明に加えて更に、複数種の硬度の異なる部材の内、少なくとも最も内側の部材の外側の部材を透光性の部材としたものである。このように構成した場合には、ブラケットと歯を光硬化性の接着剤で接着する際、その外側の部材の外から光を照射すると、接着剤まで光が届き、容易に接着できる。なお、ブラケット取り付け治具を構成する部材を全て透過性の部材としても良い。その場合には、最も外側の部材に光を照射することにより、ブラケットと歯を接着固定することが可能となる。
【００１１】
また、他の発明は、歯の矯正を行うためのブラケットを位置決めして取り付けるブラケット取り付け治具と、ブラケットを備えるブラケット付き取り付け治具であって、ブラケット取り付け治具は、複数種の硬度の異なる部材から構成されており、歯に接する最も内側の部材を、その外側の部材よりも低硬度の部材とし、ブラケットは、最も内側の部材に着脱自在に取り付けられているものである。
【００１２】
このように構成した場合には、低硬度の部材にブラケットが取り付けられていると共に、上記低硬度の部材が歯とも接していることとなる。したがって、ブラケット付き取り付け治具を歯に装着した場合、ブラケット取り付け治具は、歯に対して着脱可能となると共に、ブラケットに対しても着脱可能となる。よって、ブラケットを歯に位置決め固定したままブラケット取り付け治具のみを歯から取り外すことが可能となる。したがって、ブラケットのみを、ブラケット付き取り付け治具から分離して歯の所定の位置に取り付けることができる。また、低硬度の部材の外側は、それより高硬度の部材で覆われているため、ブラケット付き取り付け治具を歯に装着した際、ブラケットの位置決め精度が向上することとなる。
【００１３】
また、他の発明は、上述の各発明に加えて更に、複数種の硬度の異なる部材の内、少なくとも最も内側の部材の外側の部材を透光性の部材としたものである。このように構成した場合には、ブラケットを歯に接着材で固定する際、ブラケット付き取り付け治具の外側から光を照射することで、ブラケットを歯に接着固定することが可能となる。
【００１４】
また、他の発明は、上述の各発明に加えて更に、最も内側の部材は、歯の切縁を跨ぎブラケットのフックにかけて切縁とフックを覆う形態を有するものである。このように構成した場合には、ブラケット付き取り付け治具を歯に装着した際、当該治具が歯に対して安定した状態で正確な位置に固定される共に、ブラケット取り付け治具を歯から着脱可能としている。
【００１５】
さらに、他の発明は、上述の各発明に加えて更に、最も内側の部材の外側の部材は、フックを覆う部分を除いて、最も内側の部材を覆う形態を有するものである。このように構成した場合には、外側の部材は、歯の切縁を覆うと共に当該切縁を跨いでからブラケットのフックに至るまで、最も内側の部材を覆っている。したがって、ブラケット付き取り付け治具を正確な位置に取り付けることが可能となる。また、フックの部分は外側の部材により覆われていないので、ブラケット取り付け治具を歯およびブラケットから取り外すことを容易なものとしている。さらに、ブラケットを歯に固定する場合、当該固定用の光硬化性接着剤に光を照射しやすくなるので、歯へのブラケットの装着が容易になる。
【発明の効果】
【００１６】
本発明によると、位置決めしたブラケットが歯から脱落した場合でも、再度、元の位置決めされた場所にブラケットを高い精度で取り付けることが可能となる。
【発明を実施するための最良の形態】
【００１７】
以下、本発明の一実施の形態に係るブラケット取り付け治具４０およびブラケット付き取り付け治具６０について、図１から図５に基づいて説明する。本発明の一実施の形態では、歯１６の裏側から矯正を行う、リンガルブラケット法を採用している。なお、本実施の形態では、ブラケット取り付け治具４０とブラケット付き取り付け治具６０とを併せて説明する。
【００１８】
図１は、本発明の一実施の形態に係るブラケット取り付け治具４０によって歯に取り付けられるブラケット１２の斜視図である。図２は、ブラケット１２が歯１６の舌側面１８に取り付けられた状態を示す側面図である。また、図３はブラケット付き取り付け治具６０を示す図であり、図３（ａ）は歯１６の裏側から見た背面図であり、図３（ｂ）は歯１６の表側から見た正面図である。図４は、ブラケット付き取り付け治具６０を歯１６に取り付けたときの側断面図である。なお、図３（ａ）〜図４において上方を上端とし、下方を下端とする。
【００１９】
図５は、ブラケット付き取り付け治具６０を製作する工程を説明する図であり、図５（ａ）は、セットアップ歯型模型の歯７０にシリコンを塗布した状態の模式図であり、図５（ｂ）は、内側の部材４２の外側から外側の部材４４を被せた状態を示す模式図であり、図５（ｃ）は、ブラケット付き取り付け治具６０を歯７０から取り外した状態を示す模式図である。また、図６は、ブラケット取り付け治具４０を歯１６から取り外した状態を示す模式図である。
【００２０】
まず、本実施の形態に係るブラケット取り付け治具４０およびブラケット付き取り付け治具６０に用いられるブラケット１２について説明する。
【００２１】
ブラケット１２は、歯の舌側矯正に用いられるリンガルブラケットであり、材料としては、チタン等の金属が採用されている。ブラケット１２は、それ自体が矯正力を持つものではなく、ブラケット１２に結紮されるワイヤー１４（図２参照）の力を正確に歯に伝えるための治具である。そのため、ブラケット１２を歯の正確な位置に取り付けることが重要である。また、一般的にワイヤー１４は、ステンレスあるいはニッケルとチタンの合金であるＮｉＴｉを材料とするものが用いられる。本実施の形態では、ブラケット１２は、歯１６の舌側面１８に接着剤２０により接着（ボンディング）される（図２参照）。
【００２２】
図１または図２に示すように、ブラケット１２は、歯１６に接着される部分である略長方形の板状のベース２２と、ベース２２から上方に突出している突出部２４と、突出部２４の上方に設けられた、ベース２２に比べ小さな略長方形の板状のバイトプレーン２６とから主に構成されている。また、突出部２４の下方の部分から側方に向かってＴ字型の形状をしたフック２８が突出形成されている。なお、ブラケット１２は、ベース２２のべース底面２２ａが接着剤により歯１６の舌側面１８に接着（ボンディング）されることにより歯１６に固定される。
【００２３】
図２は、ブラケット１２が接着剤２０により歯の舌側面１８に取り付けられている状態を示しており、図２において、フック２８とバイトプレーン２６の歯１６の根元方向に向かって突出した部分が形成する隙間は、ワイヤー１４が通されるためのスロット３０となっている。また、図２において、フック２８とベース２２の歯１６の根元方向に向かって突出した部分が形成する隙間、およびバイトプレーン２６の歯１６の先端方向に向かって突出した部分とベース２２の歯１６の先端方向に向かって突出した部分が形成する隙間は、それぞれタイウイング３２，３３を形成している。このタイウイング３２，３３は、スロット３０に挿入されたワイヤー１４をブラケット１２に結紮して固定するための細いワイヤーやゴム等を掛けるために利用される。これらの手段によって、スロット３０に通されたワイヤー１４は、ブラケット１２に結紮される。また、このように、ブラケット１２が歯に位置決め固定され、当該ブラケット１２にワイヤー１４が結紮された状態が、歯科矯正装置を患者の歯１６に装着した状態である。
【００２４】
次に、ブラケット取り付け治具４０およびブラケット付き取り付け治具６０について説明する。
【００２５】
ブラケット取り付け治具４０は、ブラケット１２を位置決めして取り付けるための治具であり、２種類の硬度の異なる部材から構成されている。ブラケット取り付け治具４０の歯１６に接する内側の部材４２はシリコン製の部材であり、また、その外側の部材４４はシリコンよりも高硬度なレジン製の部材である。
【００２６】
ブラケット取り付け治具４０の背面および正面の外形は、図３（ａ）および図３（ｂ）に示すように、上端部は略長方形の形状となっており、上端から下端４８に沿って窄まった形状となっている。そして、下端４８近傍は細まった形状となっている。さらに、図３（ｂ）に示すようにブラケット取り付け治具４０の正面側の下端近傍における中央には、ブラケット１２が内側の部材４２に着脱可能に取り付けられている。内側の部材４２は、図３（ａ），（ｂ）において破線によって示された斜線部分である領域５０に設けられており、ブラケット取り付け治具４０を背面または正面から見た場合、それらの上端から下端４８にかけて内側に形成されている。
【００２７】
図４に示すように、ブラケット付き取り付け治具６０は、前述したブラケット取り付け治具４０にブラケット１２を取り付けたものである。ブラケット１２は、前述したように内側の部材４２の下端４８近傍に取り付けられており、かつ内側の部材４２によって覆われている。また、ブラケット１２は、内側の部材４２に対し着脱可能な状態となっている。
【００２８】
ブラケット付き取り付け治具６０は、ブラケット取り付け治具４０と同様に、内側の部材４２と外側の部材４４を有している。内側の部材４２は、ブラケット付き取り付け治具６０を歯１６に取り付けた場合、歯１６の唇側面４６から歯１６の切縁４７（臼歯の場合は咬合面）を跨ぎ、歯１６の舌側面１８の付け根部分に取り付けられているブラケット１２のフック２８にかけて形成されており、フック２８を完全に覆うように構成されている。
【００２９】
また、外側の部材４４は、ブラケット取り付け治具４０の上端から下端４８に沿って窄まった部分の左右両側面４５および下端４８を除いた内側の部材４２を覆うように形成されている。外側の部材４４は、図４において、唇側面４６における内側の部材４２より下方となる下端部４９から歯１６の切縁４７（臼歯の場合は咬合面）を跨ぎ、歯１６の舌側面１８における内側の部材４２の下端４８のやや上方にかけて形成されている。なお、本実施の形態では、外側の部材４４は、ブラケット取り付け治具４０の左右両側面４５および下端４８を除いた内側の部材４２を覆うように形成されているが、左右両側面４５を外側の部材４４で覆い、外側の部材４４が内側の部材４２の下端４８のみを覆わないようにしても良い。また、外側の部材４４は、下端部４９から歯１６の切縁４７（臼歯の場合は咬合面）を跨ぎ、内側の部材４２の下端４８のやや上方にかけて形成されるものとしたが、下端４８のやや上方に限らず、内側の部材４２の下端４８にかけて形成するようにしても良い。
【００３０】
内側の部材４２と外側の部材４４は、接着剤７４（図５（ｂ）,（ｃ）にのみ図示する）により強固に接着されており、両部材４２，４４の境界面５２の外周に相当する境界部は接着剤等を用いることによりコーティングされている。このようにコーティングすることにより、内側の部材４２と外側の部材４４は、より強固に接着される。本実施の形態では、接着剤７４として、アクリル変成シリコーン樹脂を主成分とするものが用いられている。また、内側の部材４２と外側の部材４４は共に透光性を有する透明の部材が用いられている。このため、ブラケット１２と歯１６との間に光硬化性の接着剤を塗り、外側の部材４４の外から光を照射することにより、ブラケット１２と歯１６の接着を行うことができる。
【００３１】
ブラケット取り付け治具４０では、内側の部材４２の材料としては、ビニルポリシロキサンを主成分とするシリコンが使用されている。また、外側の部材４４の材料としては、ポリメチルメタクリレートおよびポリメチルメタクリレートの内少なくともいずれか一つを主成分とするアクリル系レジンが使用されている。これらの材料は、透光性に優れていると共に、製作時における操作性にも優れているため、ブラケット取り付け治具４０を構成する材料として好適である。ただし、内側の部材４２および外側の部材４４は、上記材料に限定されない。
【００３２】
次に、図５を参照しながら、ブラケットの取り付け方法について説明する。
【００３３】
まず、患者の歯型を印象材により採得する。本実施の形態では、アルジネート印象剤またはシリコーン印象剤を用いて印象採得する。このとき全顎用または一部顎用の印象トレーを用いて印象材料を保持する。次に、この歯型印象を用いて、硬石膏による歯型模型を作製する。そして、この歯型模型を分割して、矯正完了後の目標とする歯並びに配列しなおしたセットアップ歯型模型を作製する。
【００３４】
次に、セットアップ歯型模型の歯７０の舌側面７１にブラケット１２を、ターグ等の位置決め装置により接着剤で正確に位置決めして取り付ける。ここで、上記接着剤としてはレジンが使用される。そして、セットアップ歯型７０にブラケット１２が取り付けられている状態で、当該セットアップ歯型模型の歯７０の唇側面７２から歯７０の切縁７３（臼歯の場合は咬合面）を跨ぎ、舌側面７１に取り付けられているブラケット１２のフック２８にかけて未硬化状態のシリコンを塗布する（図５（ａ）参照）。このシリコンは、ブラケット取り付け治具４０の内側の部材４２を形成する。
【００３５】
シリコンが硬化した後に、内側の部材４２の外側からレジン製の外側の部材４４を被せる（図５（ｂ）参照）。また、上述したように、外側の部材４４を被せる際に、あらかじめ内側の部材４２の表面に接着剤７４を塗布する。すると、接着剤７４が硬化し、内側の部材４２と外側の部材４４とが接着され、一体化する。
【００３６】
内側の部材４２と外側の部材４４とが一体化した状態で、外側の部材４４の形状を整える。形状は、図３（ａ），（ｂ）に示すように、ブラケット付き取り付け治具６０を、図５（ｂ）における矢示Ａおよび矢示Ｂから見た平面形状が切縁７３側から歯７０の根元に沿って窄まった形状となるように整える。
【００３７】
次に、図５（ｃ）に示すように、内側の部材４２と、外側の部材４４およびブラケット１２が一体化したブラケット付き取り付け治具６０をセットアップ歯型模型の歯７０から取り外す。
【００３８】
次に、歯７０から取り外したブラケット付き取り付け治具６０を、患者の歯１６の所定の位置に位置決めされるように装着する。ブラケット付き取り付け治具６０を装着した状態は、図３（ｃ）に示す状態となる。この際、ブラケット１２のベース底面２２ａに接着剤２０を塗布しておく。なお、内側の部材４２と外側の部材４４は共に透光性の部材であるので、ブラケット付き取り付け治具６０を歯１６に装着した状態で、外側から光を照射することでブラケット１２を歯１６に接着することが可能である。ただし、接着剤２０は、必ずしも光硬化性の接着剤でなくても良い。ブラケット付き取り付け治具６０は、患者の歯型と同じ形状であるセットアップ歯型模型を用いて形成されているので、ブラケット付き取り付け治具６０を患者の歯１６に装着した場合、ブラケット１２をセットアップ歯型模型の歯７０において位置決めした位置と同じ位置に取り付けることができる。
【００３９】
接着剤２０が硬化し、ブラケット１２が患者の歯１６に接着された後、図６に示すように、内側の部材４２と外側の部材４４が一体化したブラケット取り付け治具４０を歯１６から取り外す。ここで、ブラケット１２と内側の部材４２は着脱自在に取り付けられているので、ブラケット取り付け治具４０を歯１６から取り外した際、ブラケット１２のみが歯１６に接着されたまま残ることとなる。このようにしてブラケット１２の歯１６への取り付けが完了する。このブラケット１２の取り付け作業は患者の各歯１６ごとに対して行われる。
【００４０】
以上のように構成されたブラケット取り付け治具４０では、歯１６に接する内側の部材４２を低硬度のシリコンとし、その外側の部材４４を内側の部材４２よりも高硬度のレジンとしている。したがって、内側の部材を、シリコンとしたためブラケット取り付け治具４０を広範囲に亘って歯１６と接触させることが可能となり、正確な位置にブラケット取り付け治具４０を再装着することが可能となる。その結果、ブラケット１２を最初に接着した場所に、高い精度で位置決めすることができる。また、シリコンからなる内側の部材４２が歯１６と接することとなるので、ブラケット取り付け治具４０を広範囲に亘って歯１６と接触させた場合でも、ブラケット取り付け治具４０は、歯１６に対して着脱可能となる。よって、ブラケット取り付け治具４０を破壊せずに歯１６から取り外すことが可能となり、ブラケット１２が歯から脱落した場合でも、再度、当該ブラケット取り付け治具４０を用いてブラケット１２を歯１６に高い精度で取り付けることが可能となる。また、内側の部材４２が広範囲に亘って歯１６と接触すると共に、その外側は、それより高硬度の外側の部材４４で覆われているため、さらに、高い精度でブラケット１２を位置決めすることが可能となる。
【００４１】
また、ブラケット付き取り付け治具６０は、内側の部材４２を低硬度なシリコンとし、その外側の部材４４を高硬度なレジンとすると共に、ブラケット１２は、内側の部材４２に着脱自在に取り付けられている。したがって、ブラケット付き取り付け治具６０を歯１６に装着した場合、ブラケット取り付け治具４０は、歯１６に対して着脱可能となると共に、ブラケット１２に対しても着脱可能となる。よって、ブラケット１２を歯１６に残したままブラケット取り付け治具４０のみを歯１６から取り外すことが可能となる。したがって、ブラケット１２のみを、ブラケット付き取り付け治具６０から分離して歯１６の所定の位置に取り付けることができる。また、内側の部材４２の外側は、それより高硬度の外側の部材４４で覆われているため、ブラケット取り付け治具６０を歯１６に装着した場合、歯１６の正確な位置にブラケットが位置決めされることとなる。
【００４２】
また、内側の部材４２および外側の部材４４は、透光性の部材となっている。したがって、ブラケット１２を歯１６に接着材で固定する際、ブラケット取り付け治具４０の外側から光を照射することで、ブラケット１２を歯１６に接着固定することが可能となる。
【００４３】
また、内側の部材４２は、歯１６の唇側面４６から歯１６の切縁４７（臼歯の場合は咬合面）を跨ぎ、歯１６の舌側面１８の付け根部分に取り付けられているブラケット１２のフック２８にかけて設けられており、フック２８を覆う形態を有している。このような構成により、ブラケット付き取り付け治具６０を歯１６に装着した際、当該治具６０が歯１６に対して安定した状態で正確な位置に固定されると共に、ブラケット取り付け治具４０を歯１６から着脱可能としている。
【００４４】
また、外側の部材４４は、唇側面４６の下端部４９から歯１６の切縁４７（臼歯の場合は咬合面）を跨ぎ、歯１６の舌側面１８における内側の部材４２の下端４８のやや上方にかけて形成されている。このように外側の部材４４を形成することで、ブラケット付き取り付け治具６０を正確な位置に取り付けることが可能となる。また、フック２８の部分は、外側の部材４４により覆われていないので、ブラケット取り付け治具４０を歯１６およびブラケット１２から取り外し易くなっている。
【００４５】
また、ブラケット取り付け治具４０の背面および正面の外形は、上端から下端に沿って窄まった形状をしており、その下端近傍は細まった形状となっている。したがって、患者の歯並びにかかわらずブラケット取り付け治具４０を装着することが可能になると共に、隣接する歯１６，１６に装着されたブラケット取り付け治具４０，４０同士の接触を避けることができる。
【００４６】
また、ブラケット取り付け治具４０は、各歯１６ごとに別個に形成されているので、患者の歯並びとは関係なく患者の歯型印象の採得からブラケット１２の取り付けまでの間に患者の歯並びが変化してもブラケット取り付け治具４０の取り付けが可能となる。したがって、ブラケット取り付け治具４０を同一の患者に対して何度でも使用することができ、コストの削減を図ることができることとなる。
【００４７】
以上、本発明の一実施の形態について説明したが、本発明はこれ以外にも種々変形可能となっている。以下、それについて述べる。
【００４８】
上述の実施の形態では、ブラケット取り付け治具４０を、内側の部材４２と外側の部材４４の２種類の部材により構成しているが、これに限ることなく、３種類以上の部材により構成するようにしても良い。例えば３種類の部材によりブラケット取り付け治具を構成する場合には、歯１６に最も近い部材から遠い部材に向かって、だんだん硬度が高くなるようにすることができる。これにより、部材間の接着強度が低下しないようにすることができる。
【００４９】
また、ブラケット取り付け治具４０における内側の部材４２と外側の部材４４の部材を共に透光性の部材としているが、外側の部材４４のみを透光性の部材とするようにしても良い。また、ブラケット取り付け治具４０を複数種の部材で構成するようにした場合、最も内側の部材の外側の部材のみを透光性の部材とするようにしても良い。かかる場合、最も内側の部材の外側の部材から光を照射して、ブラケット１２と歯１６との間の接着剤２０を硬化させることもできる。
【００５０】
また、上述の実施の形態では、内側の部材４２としてはシリコンを採用しているが、シリコンに限らず他の硬度の低い部材として例えば寒天印象材、アルギン酸塩印象材を採用するようにしても良い。また内側の部材４２として、ビニルポリシロキサン以外の成分を主成分とするシリコン、あるいはシリコン以外の材料を採用しても良い。一方、外側の部材４４として、アクリル系レジン以外のレジン、あるいはレジン以外の材料を採用しても良い。
【００５１】
また、内側の部材４２は、ブラケット取り付け治具４０を背面または正面から見た場合、上端から下端４８にかけて形成された領域５０に設けられているが、内側の部材４２は、外側の部材４４の内側に形成されていれば、この領域に限ることなく、例えば領域５０を上端から下端４８にかけて略中央部に細い略長方形となるように形成しても良い。
【００５２】
また、本実施の形態では、ブラケット取り付け治具４０は、歯１６の舌側面にブラケット１２を取り付ける場合に適用されている。しかし、ブラケット取り付け治具４０の構成を唇側面にブラケット（エッジワイズ用ブラケット等）を取り付ける唇側からの矯正に採用するようにしても良い。
【００５３】
また、ブラケット１２の材質としてチタン等の金属を採用しているが、これに限らずブラケット１２の材質としてプラスチック、グラスファイバー、セラミックおよび人口宝石等を採用しても良い。
【産業上の利用可能性】
【００５４】
本発明のブラケット取り付け治具およびブラケット付き取り付け治具は、歯の矯正に関連する産業に利用することができる。
【図面の簡単な説明】
【００５５】
【図１】本発明の一実施の形態に係るブラケット取り付け治具によって歯に取り付けられるブラケットの斜視図である。
【図２】図１のブラケットが、歯の舌側面に取り付けられた状態を示す側面図である。
【図３】ブラケット付き取り付け治具を示す図であり、（ａ）はその背面図であり、（ｂ）はその正面図である。
【図４】ブラケット付き取り付け治具を歯に取り付けたときの側断面図である。
【図５】ブラケット付き取り付け治具を製作する工程を示す説明図であり、（ａ）は、セットアップ歯型模型の歯にシリコンを塗布した状態の模式図であり、（ｂ）は、内側の部材の外側から外側の部材を被せた状態を示す模式図であり、（ｃ）は、ブラケット付き取り付け治具を歯から取り外した状態を示す模式図である。
【図６】ブラケット取り付け治具を歯から取り外した状態を示す模式図である。
【図７】従来のブラケット取り付け治具を示す図である。
【符号の説明】
【００５６】
１２…ブラケット
１６…歯
１８…舌側面
２８…フック
４０…ブラケット取り付け治具
４２…内側の部材
４４…外側の部材
４６…唇側面
４７…切縁
５０…領域部（内側の部材の領域）
６０…ブラケット付き取り付け治具
【図１】
2006043121.tif 000003
【図２】
2006043121.tif 000004
【図３】
2006043121.tif 000005
【図４】
2006043121.tif 000006
【図５】
2006043121.tif 000007
【図６】
2006043121.tif 000008
【図７】
2006043121.tif 000009